【手続補正書】
【提出日】平成17年2月25日(2005.2.25)
【手続補正１】
【補正対象書類名】明細書
【補正対象項目名】発明の名称
【補正方法】変更
【補正の内容】
【発明の名称】発光装置及びその駆動方法並びに電子機器
【手続補正２】
【補正対象書類名】明細書
【補正対象項目名】特許請求の範囲
【補正方法】変更
【補正の内容】
【特許請求の範囲】
【請求項１】
複数の画素を有する画素部を備え、
前記画素は、発光素子と、第１のトランジスタと、第２のトランジスタと、第１の電源線と、第２の電源線と、を有し、
前記第１のトランジスタは、第１の電極が前記第１の電源線と接続され、第２の電極が前記発光素子の画素電極と接続され、
前記第２のトランジスタは、第１の電極が前記発光素子の画素電極と接続され、第２の電極が前記第２の電源線に接続され、
前記発光素子の対向電極に設定される電位は、前記第１の電源線に設定される電位より低く、前記第２の電源線に設定される電位よりも高いことを特徴とする発光装置。
【請求項２】
複数の画素を有する画素部を備え、
前記画素は、発光素子と、第１のトランジスタと、第２のトランジスタと、第３のトランジスタと、ゲート信号線と、ソース信号線と、第１の電源線と、第２の電源線と、を有し、
前記第１のトランジスタは、第１の電極が前記第１の電源線と接続され、第２の電極が前記発光素子の画素電極と接続され、
前記第２のトランジスタは、第１の電極が前記発光素子の画素電極と接続され、第２の電極が前記第２の電源線に接続され、
前記第３のトランジスタは、ゲート電極が前記ゲート信号線と接続され、第１の電極が前記ソース信号線と接続され、第２の電極が前記第１のトランジスタのゲート電極と接続され、
前記発光素子の対向電極に設定される電位は、前記第１の電源線に設定される電位より低く、前記第２の電源線に設定される電位よりも高いことを特徴とする発光装置。
【請求項３】
請求項１又は請求項２において、前記発光素子の対向電極に設定される電位と前記第１の電源線に設定される電位との電位差は、前記発光素子の対向電極に設定される電位と前記第２の電源線に設定される電位との電位差よりも大きいことを特徴とする発光装置。
【請求項４】
発光素子が設けられた複数の画素がマトリクス状に配置された画素部と、前記画素部を駆動するソース信号線駆動回路およびゲート信号線駆動回路とが設けられたパネルと、
前記ソース信号線駆動回路およびゲート信号線駆動回路を駆動するタイミング信号および映像信号を生成する第１の手段と、
前記パネルにおいて用いられる所望の電源を供給する第２の手段とを有する発光装置であって、
前記複数の画素はそれぞれ、
画素への映像信号の入力を制御する第３の手段と、
入力された映像信号に従って、前期発光素子の発光もしくは非発光を決定し、前記発光素子の発光時に、前記発光素子の第１の電極と第２の電極との間に順方向バイアスを印加し、電流を供給する第４の手段と、
前記発光素子に供給される電流を強制的に遮断する第５の手段と、
前記発光素子の第１の電極と第２の電極との間に逆方向バイアスを印加するタイミングを制御する第６の手段とを有することを特徴とする発光装置。
【請求項５】
発光素子が設けられた複数の画素を有する発光装置であって、
前記複数の画素はそれぞれ、
ソース信号線と、第１乃至第３のゲート信号線と、第１乃至第３の電源線と、第１乃至第４のトランジスタと、前記発光素子とを有し、
前記第１のトランジスタのゲート電極は、前記第１のゲート信号線と電気的に接続され、第１の電極は、前記ソース信号線と電気的に接続され、第２の電極は、前記第２のトランジスタの第１の電極および、前記第３のトランジスタのゲート電極と電気的に接続され、
前記第２のトランジスタのゲート電極は、前記第２のゲート信号線と電気的に接続され、第２の電極は、前記第１の電源線と電気的に接続され、
前記第３のトランジスタの第１の電極は、前記第１の電源線と電気的に接続され、第２の電極は、前記発光素子の第１の電極および、前記第４のトランジスタの第１の電極と電気的に接続され、
前記第４のトランジスタのゲート電極は、前記第３のゲート信号線と電気的に接続され、第２の電極は、前記第２の電源線と電気的に接続され、
前記発光素子の第２の電極は、前記第３の電源線と電気的に接続されていることを特徴とする発光装置。
【請求項６】
発光素子が設けられた複数の画素を有する発光装置であって、
前記複数の画素はそれぞれ、
ソース信号線と、第１、第２のゲート信号線と、第１乃至第３の電源線と、第１乃至第４のトランジスタと、前記発光素子とを有し、
前記第１のトランジスタのゲート電極は、前記第１のゲート信号線と電気的に接続され、第１の電極は、前記ソース信号線と電気的に接続され、第２の電極は、前記第２のトランジスタの第１の電極および、前記第３のトランジスタのゲート電極と電気的に接続され、
前記第２のトランジスタのゲート電極は、前記第２のゲート信号線と電気的に接続され、第２の電極は、前記第１の電源線と電気的に接続され、
前記第３のトランジスタの第１の電極は、前記第１の電源線と電気的に接続され、第２の電極は、前記発光素子の第１の電極および、前記第４のトランジスタの第１の電極と電気的に接続され、
前記第４のトランジスタのゲート電極は、前記第２のゲート信号線と電気的に接続され、第２の電極は、前記第２の電源線と電気的に接続され、
前記発光素子の第２の電極は、前記第３の電源線と電気的に接続されていることを特徴とする発光装置。
【請求項７】
発光素子が設けられた複数の画素を有する発光装置であって、
前記複数の画素はそれぞれ、
ソース信号線と、第１乃至第３のゲート信号線と、第１乃至第３の電源線と、第１乃至第４のトランジスタと、前記発光素子とを有し、
前記第１のトランジスタのゲート電極は、前記第１のゲート信号線と電気的に接続され、第１の電極は、前記ソース信号線と電気的に接続され、第２の電極は、前記第２のトランジスタのゲート電極と電気的に接続され、
前記第２のトランジスタの第１の電極は、前記第１の電源線と電気的に接続され、第２の電極は、前記第３のトランジスタの第１の電極と電気的に接続され、
前記第３のトランジスタのゲート電極は、前記第２のゲート信号線と電気的に接続され、第２の電極は、前記第４のトランジスタの第１の電極および、前記発光素子の第１の電極と電気的に接続され、
前記第４のトランジスタのゲート電極は、前記第３のゲート信号線と電気的に接続され、第２の電極は、前記第２の電源線と電気的に接続され、
前記発光素子の第２の電極は、前記第３の電源線と電気的に接続されていることを特徴とする発光装置。
【請求項８】
発光素子が設けられた複数の画素を有する発光装置であって、
前記複数の画素はそれぞれ、
ソース信号線と、第１、第２のゲート信号線と、第１乃至第３の電源線と、第１乃至第４のトランジスタと、前記発光素子とを有し、
前記第１のトランジスタのゲート電極は、前記第１のゲート信号線と電気的に接続され、第１の電極は、前記ソース信号線と電気的に接続され、第２の電極は、前記第２のトランジスタのゲート電極と電気的に接続され、
前記第２のトランジスタの第１の電極は、前記第１の電源線と電気的に接続され、第２の電極は、前記第３のトランジスタの第１の電極と電気的に接続され、
前記第３のトランジスタのゲート電極は、前記第２のゲート信号線と電気的に接続され、第２の電極は、前記第４のトランジスタの第１の電極および、前記発光素子の第１の電極と電気的に接続され、
前記第４のトランジスタのゲート電極は、前記第２のゲート信号線と電気的に接続され、第２の電極は、前記第２の電源線と電気的に接続され、
前記発光素子の第２の電極は、前記第３の電源線と電気的に接続されていることを特徴とする発光装置。
【請求項９】
発光素子が設けられた複数の画素を有し、前記発光素子の発光時間の差を制御して階調の表現を行う発光装置の駆動方法であって、
１フレーム期間は、ｎ個(ｎは自然数、２＜ｎ)のサブフレーム期間を有し、
前記サブフレーム期間はそれぞれ、
映像信号の画素への書き込みを行うアドレス期間と、
前記画素に書き込まれた映像信号に基づき、前記発光素子の発光、非発光を制御して表示を行う、サステイン期間とを有し、
前記ｎ個のサブフレーム期間より選ばれたｍ個(ｍは自然数、０＜ｍ≦ｎ−１)のサブフレーム期間はそれぞれ、
前記サステイン期間の終了後、画素にリセット信号の書き込みを行う、互いに期間の重複しないｍ個のリセット期間と、
前記リセット信号が書き込まれた行において、前記発光素子の状態を強制的に非発光状態とする、互いに期間の重複しないｍ個の消去期間とを有し、
前記ｍ個のサブフレーム期間より選ばれたｋ個(ｋは自然数、０＜ｋ≦ｍ)のサブフレーム期間はそれぞれ、
前記発光素子の発光時に、前記発光素子の第１の電極と第２の電極間に印加されている順方向バイアス電圧に対し、その極性の反転した逆方向バイアス電圧を印加する、互いに期間の重複しないｋ個の逆方向バイアス期間と、
前記逆方向バイアス期間において印加された逆方向バイアス電圧が前記発光素子の第１の電極と第２の電極間に印加され続けるｋ個の逆方向バイアス印加期間とを有し、
前記アドレス期間、前記サステイン期間、前記リセット期間、前記消去期間、前記逆方向バイアス期間、および前記逆方向バイアス印加期間は、それぞれが互いに一部重複する期間を有し、
かつ、ある特定のサブフレーム期間において、前記逆方向バイアス印加期間は、前記消去期間中に設けられていることを特徴とする発光装置の駆動方法。
【請求項１０】
請求項９において、
前記順方向バイアス電圧をＶ1、前記逆方向バイアス電圧をＶ2としたとき、
|Ｖ1|≧|Ｖ2|を満たすことを特徴とする発光装置の駆動方法。
【請求項１１】
請求項１乃至請求項８のいずれか一項に記載の発光装置を表示部に用いることを特徴とする電子機器。
【請求項１２】
請求項１１に記載の電子機器は、ＥＬディスプレイ、モバイルコンピュータ、ゲーム機又は携帯電話機であることを特徴とする電子機器。